(57)【特許請求の範囲】
【請求項１】
ＯＦＤＭ方式の受信信号の位相と、この位相を所定シンボル分遅延させた位相とを減算処理して位相差を検出する位相差検出手段と、
検出された位相差の絶対値を積算する絶対値積算手段と、
この絶対値積算手段の出力が任意のしきい値を下回るタイミングを検出し、このタイミングを前記受信信号に対する高速フーリエ変換処理開始のタイミングに設定するタイミング制御手段と、
を具備することを特徴とするＯＦＤＭ受信装置。
【請求項２】
前記絶対値積算手段は、任意のしきい値以下の前記位相差の絶対値のみを積算することを特徴とする請求項１記載のＯＦＤＭ受信装置。
【請求項３】
前記絶対値積算手段は、前記しきい値を受信信号の受信レベルに応じて変えることを特徴とする請求項２記載のＯＦＤＭ受信装置。
【請求項４】
前記位相検出手段は、不要周波数成分除去後の受信信号の同相成分及び直交成分のサンプリング数を減らす間引部を有することを特徴とする請求項１記載のＯＦＤＭ受信装置。
【請求項５】
前記タイミング制御手段は、前記絶対値積算手段が算出した位相差の絶対値と任意のしきい値との大小判定する比較部と、この比較部における大小判定結果において前記位相差の絶対値の方が小さくなる回数を数えるカウンタ部と、を有し、前記カウンタ部が数えた前記回数が任意のしきい値を上回った時のみ高速フーリエ変換処理開始のタイミングを設定することを特徴とする請求項１記載のＯＦＤＭ受信装置。
【請求項６】
前記タイミング制御手段は、任意に定められた異なる値を持つ２つのしきい値を有し、前記カウンタ部が出力した回数が前記２つのしきい値の間の値を取る時のみ高速フーリエ変換処理開始のタイミングを設定することを特徴とする請求項５記載のＯＦＤＭ受信装置。
【請求項７】
前記絶対値積算手段は、前記位相差検出手段の出力である位相差を積算する位相差積算部と、前記位相差検出手段の出力である位相差の絶対値を算出し積算した値から前記位相差積算部の出力を減算する減算部と、を有することを特徴とする請求項１記載のＯＦＤＭ受信装置。
【請求項８】
ＯＦＤＭ方式の受信装置における高速フーリエ変換処理の開始タイミングの設定方法であって、
ＯＦＤＭ方式の受信信号の位相差の絶対値を積算し、
積算した結果が任意のしきい値を下回るタイミングを前記受信信号に対する高速フーリエ変換処理の開始タイミングに設定する、
ことを特徴とするタイミング設定方法。
【発明の詳細な説明】
【０００１】
【発明の属する技術分野】
本発明は、ＯＦＤＭ方式の移動体通信に用いられる受信装置に関する。
【０００２】
【従来の技術】
従来のＯＦＤＭ方式の移動体通信に用いられる受信装置（以下、単にＯＦＤＭ受信装置という）について図１７〜図１９を用いて説明する。図１７は、従来のＯＦＤＭ受信装置の概略構成を示す要部ブロック図であり、図１８は、ＯＦＤＭ方式の無線通信におけるフレームフォーマットの模式図である。
【０００３】
まず、図１７を用いて従来装置の構成を説明する。直交検波器２６０１は、入力された受信信号に対して直交検波処理を行う。アナログ・ローパス・フィルタ（ＬＰＦ）２６０２、２６０３は、不要周波数成分を除去する。Ａ／Ｄ変換器２６０４、２６０５は、入力されたアナログ信号をディジタル信号に変換する。
【０００４】
フーリエ変換（ｆａｓｔ  Ｆｏｕｒｉｅｒ  ｔｒａｎｓｆｏｒｍ；以下、ＦＦＴという）回路２６０６は、後述する判定器２６１４の出力信号をトリガとして、入力信号に対してＦＦＴ処理を行い、遅延検波器２６０７は、入力された信号に対して遅延検波処理を行う。判定器２６０８は、遅延検波信号の判定を行う。
【０００５】
遅延器２６０９、２６１０は、入力された信号を遅延させて出力する。複素乗算器２６１１は、複素乗算を行う。この複素乗算については後述する。積算器２６１２は、複素乗算器２６１１の出力を積算する。減算器２６１３は、積算器２６１２の出力としきい値との減算処理を行い、判定器２６１４が大小判定を行う。この判定結果はＦＦＴ回路２６０６へ出力される。
【０００６】
次いで、従来装置の動作について説明する。直交検波器２６０１は、受信信号に対して直交検波処理を行い、アナログ信号であるベースバンド信号を得る。このベースバンド信号は、ＬＰＦ２６０２、２６０３によって不要周波数成分を除去され、Ａ／Ｄ変換器２６０４、２６０５によってディジタル信号に変換され、ディジタルベースバンド信号となる。
【０００７】
ディジタルベースバンド信号は、ＦＦＴ回路２６０６によってＦＦＴ処理が行われ、各サブキャリアに割り当てられた信号が得られる。更に、遅延検波器２６０７によって遅延検波処理が行われ、判定器２６０８によって判定が行われ、復調信号が得られる。
【０００８】
ところで、ＯＦＤＭ方式の移動体通信において受信装置は、送信側である基地局装置とシンボル同期を合わせてＦＦＴを開始するようにタイミングを取る必要がある。以下、シンボル同期確立について説明する。
【０００９】
ＯＦＤＭ方式の移動体通信においては一般に、図１８に示すように、各シンボルの先頭に各シンボルの最後部と同一の波形をガード区間として挿入している。一般には、この既知シンボルであるガード区間を用いて、シンボル同期を確立する。
【００１０】
まず、ＦＦＴ処理前の信号と、ＦＦＴ処理前の信号を遅延器２６０９、２６１０によって１シンボルだけ遅延させた信号と、に対して、複素乗算器２６１１が次式に表わされる複素乗算を行う。
【数１】
0003576414.tif 000002
ここで、Ｒ（ｎＴ）は位相情報を表わし、以下同様に、Ｄ（ｎＴ）は受信信号を、Ｔｓはシンボル長を、Ｔｇはガード区間長を、Ｔはサンプリング周期を、それぞれ表わす。ｎは１、２・・・を採る。
【００１１】
次いで、複素乗算器２６１１の出力は積算器２６１２によって積算される。ここで、ガード区間の波形は、各シンボルの最後部と同一の波形であるため、積算結果は、図１９に示すように各有効シンボルの開始タイミングでピークが生じる。よって、積算結果がしきい値を超えるタイミングを検出することによって、各有効シンボルの先頭を検出することができるため、シンボル同期を確立することができる。
【００１２】
従って、積算器２６１２の出力である積算結果を減算器２６１３によってしきい値と減算処理し、判定器２６１４によって大小判定が行うことによって、ＦＦＴ回路２６０６のＦＦＴ処理開始タイミングを制御することができる。
【００１３】
なお、シンボル同期の検出は、ガード区間を用いずに、例えば、遅延検波に必要な位相基準シンボルと同一のシンボルを各バーストの先頭に挿入し、位相基準シンボルと同一のシンボルとの複素乗算結果より検出してもよい。
【００１４】
このように、従来のＯＦＤＭ受信装置は、シンボル同期を確立しＦＦＴ開始タイミングを取ることができる。
【００１５】
【発明が解決しようとする課題】
しかしながら、従来の装置においては、ＦＦＴ処理開始タイミングの検出精度が悪い。
【００１６】
本発明は、ＦＦＴ処理開始タイミングの検出精度を高めることができるＯＦＤＭ受信装置を提供することを目的とする。
【００１７】
【課題を解決するための手段】
本発明の骨子は、受信信号の位相情報と１シンボル前の位相情報との減算を行うことによってシンボル同期を獲得し、このように獲得されたシンボル同期を用いてＦＦＴ処理開始タイミングを取ることである。
【００１８】
【発明の実施の形態】
本発明の第１の態様に係るＯＦＤＭ受信装置は、ＯＦＤＭ方式の受信信号の位相と、この位相を所定シンボル分遅延させた位相とを減算処理して位相差を検出する位相差検出手段と、検出された位相差の絶対値を積算する絶対値積算手段と、この絶対値積算手段の出力が任意のしきい値を下回るタイミングを検出し、このタイミングを前記受信信号に対する高速フーリエ変換処理開始のタイミングに設定するタイミング制御手段と、を具備する構成を採る。
【００１９】
この構成によれば、高速フーリエ変換処理開始のタイミングを検出する際に位相差の絶対値を積算するため、積算結果が０に収束することがなく、検出精度を高めることができる。
【００２０】
本発明の第２の態様に係るＯＦＤＭ受信装置は、第１の態様おいて、前記絶対値積算手段は、任意のしきい値以下の前記位相差の絶対値のみを積算する構成を採る。
【００２１】
この構成によれば、検出した位相が任意のしきい値を上回る受信信号は誤差を含むと判断し積算処理に用いないようにするため、高速フーリエ変換処理開始タイミングの検出精度を高めることができる。
【００２２】
本発明の第３の態様に係るＯＦＤＭ受信装置は、第２の態様において、前記絶対値積算手段は、前記しきい値を受信信号の受信レベルに応じて変える構成を採る。
【００２３】
この構成によれば、積算処理に用いないようにする受信信号を検出するための位相に関するしきい値を受信信号の受信レベルに応じて変えるため、誤差の低減された位相差の絶対値の積算処理が行え、高速フーリエ変換処理開始タイミングの検出精度を高めることができる。
【００２４】
本発明の第４の態様に係るＯＦＤＭ受信装置は、第１の態様において、前記位相検出手段は、不要周波数成分除去後の受信信号の同相成分及び直交成分のサンプリング数を減らす間引部を有する構成を採る。
【００２５】
この構成によれば、サンプリング周波数を低減させるため、信号処理を高速化できる。
【００２６】
本発明の第５の態様に係るＯＦＤＭ受信装置は、第１の態様において、前記タイミング制御手段は、前記絶対値積算手段が算出した位相差の絶対値と任意のしきい値との大小判定する比較部と、この比較部における大小判定結果において前記位相差の絶対値の方が小さくなる回数を数えるカウンタ部と、を有し、前記カウンタ部が数えた前記回数が任意のしきい値を上回った時のみ高速フーリエ変換処理開始のタイミングを設定する構成を採る。
【００２７】
この構成によれば、現時刻の位相情報と１シンボル前の位相情報との差の絶対値がしきい値を下回る回数が一定回数を上回った場合のみ高速フーリエ変換処理開始のタイミングを設定するため、信号が送信されていない区間で誤ってシンボル同期が確立されてしまうことを防ぐ精度を高めることができる。
【００２８】
本発明の第６の態様に係るＯＦＤＭ受信装置は、第５の態様において、前記タイミング制御手段は、任意に定められた異なる値を持つ２つのしきい値を有し、前記カウンタ部が出力した回数が前記２つのしきい値の間の値を取る時のみ高速フーリエ変換処理開始のタイミングを設定する構成を採る。
【００２９】
この構成によれば、現時刻の位相情報と１シンボル前の位相情報の差がしきい値を下回る回数について上限・下限を設け、適切な回数の範囲に収まっている時のみ高速フーリエ変換処理開始のタイミングを設定するため、信号が送信されていない区間で誤ってシンボル同期が確立されてしまうことを防ぐ精度を高めることができる。
【００３０】
本発明の第７の態様に係るＯＦＤＭ受信装置は、第１の態様において、前記絶対値積算手段は、前記位相差検出手段の出力である位相差を積算する位相差積算部と、前記位相差検出手段の出力である位相差の絶対値を算出し積算した値から前記位相差積算部の出力を減算する減算部と、を有する構成を採る。
【００３１】
この構成によれば、位相差の絶対値を積算した結果から周波数オフセットずれによる誤差を除去することができるため、高速フーリエ変換処理開始のタイミングの検出精度を高めることができる。
【００３２】
本発明の第８の態様に係るタイミング設定方法は、ＯＦＤＭ方式の受信装置における高速フーリエ変換処理の開始タイミングの設定方法であって、ＯＦＤＭ方式の受信信号の位相差の絶対値を積算し、積算した結果が任意のしきい値を下回るタイミングを前記受信信号に対する高速フーリエ変換処理の開始タイミングに設定するようにした。
【００３３】
この方法によれば、高速フーリエ変換処理開始のタイミングを検出する際に位相差の絶対値を積算するため、積算結果が０に収束することがなく、検出精度を高めることができる。
【００３４】
以下、本発明の実施の形態について、図面を参照して詳細に説明する。
【００３５】
（実施の形態１）
本発明の実施の形態１について図１、図２を用いて説明する。図１は、本発明の実施の形態１に係るＯＦＤＭ受信装置の概略構成を示す要部ブロック図である。
【００３６】
まず、図１を用いて本実施の形態に係るＯＦＤＭ受信装置の構成について説明する。直交検波器１０１は、入力された受信信号に対して直交検波処理を行う。ＬＰＦ１０２、１０３は、不要周波数成分を除去する。Ａ／Ｄ変換器１０４、１０５は、入力されたアナログ信号をディジタル信号に変換する。
【００３７】
ＦＦＴ回路１０６は、入力信号に対してＦＦＴ処理を行い、遅延検波器１０７は、入力された信号に対して遅延検波処理を行う。判定器１０８は、遅延検波信号の判定を行う。
【００３８】
位相情報生成器１０９は、入力された信号の位相情報を生成する。減算器１１０は、入力された二つの信号の減算処理を行い、遅延器１１１は、入力された信号を１シンボル遅らせる。
【００３９】
絶対値検出器１１２は、入力された信号の絶対値を取り出力し、積算器１１３は、入力された信号を積算する。減算器１１４は、入力された信号としきい値とを減算処理する。判定器１１５は、入力された信号の正負を判別する。
【００４０】
次いで、本実施の形態に係るＯＦＤＭ受信装置の動作について説明する。まずは復調に関する動作について述べる。直交検波器１０１は、受信信号に対して直交検波処理を行い、アナログ信号であるベースバンド信号を得る。このベースバンド信号は、ＬＰＦ１０２、１０３によって不要周波数成分を除去され、Ａ／Ｄ変換器１０４、１０５によってディジタル信号に変換され、ディジタルベースバンド信号となる。
【００４１】
ディジタルベースバンド信号は、ＦＦＴ回路１０６によってＦＦＴ処理が行われ、各サブキャリアに割り当てられた信号が得られる。更に、遅延検波器１０７によって遅延検波処理が行われ、判定器１０８によって判定が行われ、復調信号が得られる。
【００４２】
次いで、シンボル同期確立のための位相差検出及びＦＦＴ処理開始タイミング制御に関する動作について述べる。位相情報生成器１０９は、ＦＦＴ処理前の受信信号の同相成分（以下、Ｉ成分という）と直交成分（以下、Ｑ成分という）とから受信信号の位相情報を生成する。
【００４３】
減算器１１０は、位相情報生成器１０９の出力である位相情報と、遅延器１１１によって１シンボル遅らされた位相情報と、を減算処理し、位相回転を算出する。絶対値検出器１１２は、減算器１１０の出力の絶対値のみを抽出し、積算器１１３がこれを積算する。
【００４４】
減算器１１４は、積算器１１３によって積算された位相回転の絶対値としきい値との差分を求め、判定器１１５が大小判定する。
【００４５】
ここで、図１８に示したようなガード区間を用いると、ＦＦＴ処理前の信号とＦＦＴ処理前の信号を１シンボル遅延させた信号との位相差の絶対値を積算した結果、すなわち積算器１１３の出力は、図２に示すように有効シンボルの開始タイミングで最小となる。よって、予め設定されたしきい値との差を求めることにより、位相差の絶対値の積算結果が最小となるタイミングを検出することができる。
【００４６】
このようにして、有効シンボルの先頭を検出することができる、すなわちシンボル同期を検出することができるため、判定器１１５の出力である有効シンボル先頭タイミングを開始トリガとして、ＦＦＴ回路１０６におけるＦＦＴ処理を行うことによって、適切な復調処理を行うことができる。
【００４７】
なお、絶対値検出器１１２を設けずに、減算器１１０の出力である位相差をそのまま積算器１１３で積算すると、正しいシンボル同期タイミングでない時刻における位相差の積算は無相関な信号の積算であるので積算結果は０に収束してしまうため、正しいシンボル同期タイミングでない時刻で位相差が最小となる可能性が高まる。したがって、位相差の絶対値を積算することによって、シンボル同期タイミング誤差が大きくなることを防ぐことができる。
【００４８】
（実施の形態２）
本発明の実施の形態２に係るＯＦＤＭ受信装置は、実施の形態１に係るＯＦＤＭ受信装置と同様の構成を有し、但し回線品質に応じて用いるしきい値を変えるものである。
【００４９】
以下、図３を用いて、本実施の形態に係るＯＦＤＭ受信装置について説明する。図３は、本発明の実施の形態２に係るＯＦＤＭ受信装置の概略構成を示す要部ブロック図である。なお、図中、実施の形態１と同様の構成には同じ符号を付し、詳しい説明は省略する。
【００５０】
信号対雑音電力比が低い場合、熱雑音等の影響が大きくなり、振幅誤差、位相誤差が大きくなるため、復調信号の判定誤差を用いて回線品質を推定し、回線品質に応じてしきい値を変えるようにする。
【００５１】
減算器９０１は、判定器１０８の入力信号と出力信号を減算処理し、判定器９０２が大小判定する。この判定器結果は復調信号の判定誤差である。スイッチ９０３は、判定器９０２の出力である判定誤差によって制御され、しきい値Ａとしきい値Ｂとを選択的に出力する。ここでは、しきい値Ａ＞しきい値Ｂとし、判定誤差が一定値を超える場合は大きい方の値であるしきい値Ａを減算器１１４へ出力し、一定値以下の場合は小さい方の値であるしきい値Ｂを出力する。
【００５２】
このように、本実施の形態によれば、回線品質に応じてしきい値を可変とすることにより、実施の形態１よりもシンボル同期獲得の精度を高めることができる。
【００５３】
（実施の形態３）
本発明の実施の形態３に係るＯＦＤＭ受信装置は、実施の形態２に係るＯＦＤＭ受信装置と同様の構成を有し、但ししきい値を上回る位相情報は積算処理に用いないものである。
【００５４】
以下、図４を用いて、本実施の形態に係るＯＦＤＭ受信装置について説明する。図４は、本発明の実施の形態３に係るＯＦＤＭ受信装置の概略構成を示す要部ブロック図である。なお、図中、実施の形態２と同様の構成には同じ符号を付し、詳しい説明は省略する。
【００５５】
ある一定値を超える位相情報は、誤差が含まれていると考えられるため、本実施の形態では、予め設定したしきい値を超える位相情報は積算処理に用いないようにする。
【００５６】
減算器１１０１は、位相情報生成器１０９の出力をしきい値と減算処理し、判定器１１０２が大小判定を行う。この判定結果はスイッチ１００３を制御し、しきい値以下の場合のみ絶対値検出器１１２の出力が積算器１１３へ入力されるようにする。
【００５７】
このように、本実施の形態によれば、しきい値を上回る位相情報は積算処理に用いないことにより、よりシンボル同期獲得の精度を高めることができる。
【００５８】
（実施の形態４）
本発明の実施の形態４に係るＯＦＤＭ受信装置は、実施の形態３に係るＯＦＤＭ受信装置と同様の構成を有し、但し回線品質に応じてしきい値を変えるものである。
【００５９】
以下、図５を用いて、本実施の形態に係るＯＦＤＭ受信装置について説明する。図５は、本発明の実施の形態５に係るＯＦＤＭ受信装置の概略構成を示す要部ブロック図である。なお、図中、実施の形態２及び３と同様の構成には同じ符号を付し、詳しい説明は省略する。
【００６０】
信号対雑音電力比が低い場合、熱雑音等の影響が大きくなり、振幅誤差、位相誤差が大きくなるため、復調信号の判定誤差を用いて回線品質を推定し、回線品質に応じてしきい値を変えるようにする。
【００６１】
スイッチ１２０１は、判定器９０２の出力である判定誤差によって制御され、しきい値Ｃとしきい値Ｄとを選択的に出力する。ここでは、しきい値Ｃ＞しきい値Ｄとし、判定誤差が一定値を超える場合は大きい方の値であるしきい値Ｃを減算器１１０１へ出力し、一定値以下の場合は小さい方の値であるしきい値Ｄを出力する。
【００６２】
このように、本実施の形態によれば、回線品質に応じてしきい値を可変とすることにより、よりシンボル同期獲得の精度を高めることができる。
【００６３】
（実施の形態５）
本発明の実施の形態５に係るＯＦＤＭ受信装置は、実施の形態１に係るＯＦＤＭ受信装置と同様の構成を有し、但しＡ／Ｄ変換後の受信信号をＬＰＦを通してから位相情報生成器に入力するものである。
【００６４】
以下、図６を用いて、本実施の形態に係るＯＦＤＭ受信装置について説明する。図６は、本発明の実施の形態５に係るＯＦＤＭ受信装置の概略構成を示す要部ブロック図である。なお、図中、実施の形態１と同様の構成には同じ符号を付し、詳しい説明は省略する。
【００６５】
ＬＰＦ１３０１、１３０２は、Ａ／Ｄ変換器１０４、１０５の出力信号の不要周波数成分を除去し、位相情報生成器１０９へ出力する。
【００６６】
特に、ＬＰＦのカットオフ周波数を低くすると、不要周波数成分の除去効果が大きくなり、信号対雑音電力比を改善できる。なお、周波数オフセットは、多重信号であるＦＦＴ前の信号を用いて検出するため、ＬＰＦのカットオフ周波数を低くしても、周波数オフセットの検出精度は低下しない。
【００６７】
このように、本実施の形態によれば、受信信号を、ＬＰＦにより不要周波数成分を除去してから、位相情報生成器に入力するため、さらに周波数オフセットの検出精度を高めることができる。
【００６８】
（実施の形態６）
本発明の実施の形態６に係るＯＦＤＭ受信装置は、実施の形態５に係るＯＦＤＭ受信装置と同様の構成を有し、但しサンプリング周波数を低減することにより信号伝送速度の高速化を図るものである。
【００６９】
以下、図７を用いて、本実施の形態に係るＯＦＤＭ受信装置について説明する。図７は、本発明の実施の形態６に係るＯＦＤＭ受信装置の概略構成を示す要部ブロック図である。なお、図中、実施の形態５と同様の構成には同じ符号を付し、詳しい説明は省略する。
【００７０】
間引き回路１４０１、１４０２は、ＬＰＦ１３０１、１３０２通過後の受信信号を間引くことでサンプリング周波数を低減する。なお、ＬＰＦ通過後の信号は、雑音帯域幅が減少しているため、サンプリング周波数を低減することができる。
【００７１】
このように、本実施の形態によれば、サンプリング周波数を低減することにより信号伝送速度の高速化を図ることができる。
【００７２】
（実施の形態７）
本発明の実施の形態７に係るＯＦＤＭ受信装置は、実施の形態５に係るＯＦＤＭ受信装置と同様の構成を有し、但しアナログＬＰＦを通してから位相情報生成器に入力するものである。
【００７３】
以下、図８を用いて、本実施の形態に係るＯＦＤＭ受信装置について説明する。図８は、本発明の実施の形態７に係るＯＦＤＭ受信装置の概略構成を示す要部ブロック図である。なお、図中、実施の形態５と同様の構成には同じ符号を付し、詳しい説明は省略する。
【００７４】
ＬＰＦ１５０１、１５０２は、アナログフィルタであり、不要周波数成分を除去する。ＬＰＦ１５０１、１５０２の出力は、Ａ／Ｄ変換器１５０３、１５０４でディジタル信号に変換され、位相情報生成器１０９に入力される。
【００７５】
このように、本実施の形態によれば、位相情報生成器に入力する前の信号を通すＬＰＦをアナログフィルタにすることにより、さらにＡ／Ｄ変換器の動作速度を低減することができるため、信号伝送速度の高速化を図ることができる。
【００７６】
（実施の形態８）
本発明の実施の形態８に係るＯＦＤＭ受信装置は、実施の形態７に係るＯＦＤＭ受信装置と同様の構成を有し、但し回線品質に応じて用いるしきい値を変えるものである。
【００７７】
以下、図９を用いて、本実施の形態に係るＯＦＤＭ受信装置について説明する。図９は、本発明の実施の形態８に係るＯＦＤＭ受信装置の概略構成を示す要部ブロック図である。なお、図中、実施の形態２と同様の構成には同じ符号を付し、詳しい説明は省略する。
【００７８】
信号対雑音電力比が低い場合、熱雑音等の影響が大きくなり、振幅誤差、位相誤差が大きくなるため、復調信号の判定誤差を用いて回線品質を推定し、回線品質に応じてしきい値を変えるようにする。
【００７９】
スイッチ１７０１は、判定器９０２の出力である判定誤差によって制御され、しきい値Ｅとしきい値Ｆとを選択的に出力する。ここでは、しきい値Ｅ＞しきい値Ｆとし、判定誤差が一定値を超える場合は大きい方の値であるしきい値Ｅを減算器１６０１へ出力し、一定値以下の場合は小さい方の値であるしきい値Ｆを出力する。
【００８０】
このように、本実施の形態によれば、回線品質に応じてしきい値を可変とすることにより、信号が送信されていない区間でシンボル同期が確立されることを防ぐことをより精度良く行うことができる。
【００８１】
（実施の形態９）
本発明の実施の形態９に係るＯＦＤＭ受信装置は、実施の形態２に係るＯＦＤＭ受信装置と同様の構成を有し、但し現時刻の位相情報と１シンボル前の位相情報との差の絶対値が、予め定められたしきい値を下回る回数が一定回数を上回ることをシンボル同期獲得の条件に加えるものである。
【００８２】
以下、図１０及び図１１を用いて、本実施の形態に係るＯＦＤＭ受信装置について説明する。図１０は、本発明の実施の形態９に係るＯＦＤＭ受信装置の概略構成を示す要部ブロック図であり、図１１は、本発明の実施の形態９に係るＯＦＤＭ受信装置の制御回路の概略構成を示す要部ブロック図である。なお、図中、実施の形態２と同様の構成には同じ符号を付し、詳しい説明は省略する。
【００８３】
図１０において、制御回路１８０１は、現時刻の位相情報と１シンボル前の位相情報との差が、予め定められたしきい値を下回る回数が一定回数を上回るか否かを判定し、この判定結果を制御信号として論理積回路１８０２に出力する。論理積回路１８０２は、制御回路１８０１の出力に応じて、判定器１１５の検出した有効シンボルの先頭タイミングをＦＦＴ回路１０６に伝えてＦＦＴ開始トリガとするか否かを選択的に切り替える。
【００８４】
図１１において、減算器１９０１は、絶対値検出器１１２の出力である現時刻の位相情報と１シンボル前の位相情報との差の絶対値を、しきい値Ｇと減算処理し、判定器１９０２が大小判定を行う。
【００８５】
カウンタ１９０３は、判定器１９０２の判定結果の内、位相差の絶対値がしきい値を下回った回数を数え、出力する。減算器１９０４は、カウンタ１９０３の出力をしきい値Ｈと減算処理し、判定器１９０５が大小判定を行う。このように、判定器１９０５の出力は、現時刻の位相情報と１シンボル前の位相情報との差が、予め定められたしきい値を下回る回数が一定回数を上回った否かを示す制御信号となり、論理積回路１８０２へ出力される。
【００８６】
このように、本実施の形態によれば、現時刻の位相情報と１シンボル前の位相情報との差の絶対値が、予め定められたしきい値を下回る回数が一定回数を上回った場合のみ、有効シンボルの先頭タイミングをＦＦＴ開始トリガとすることによって、信号が送信されていない区間でシンボル同期が確立されることを防ぐことをより精度良く行うことができる。
【００８７】
（実施の形態１０）
本発明の実施の形態１０に係るＯＦＤＭ受信装置は、実施の形態９に係るＯＦＤＭ受信装置と同様の構成を有し、但し制御回路内のカウンタはしきい値を下回る位相差の絶対値の数としきい値を上回る位相差との回数の差を数えるものである。
【００８８】
以下、図１２を用いて、本実施の形態に係るＯＦＤＭ受信装置について説明する。図１２は、本発明の実施の形態１０に係るＯＦＤＭ受信装置の制御回路の概略構成を示す要部ブロック図である。なお、図中、実施の形態９と同様の構成には同じ符号を付し、詳しい説明は省略する。
【００８９】
図１２のカウンタ２００１は、図１１のカウンタ１９０３と異なり、判定器１９０２の出力である判定結果が位相差の絶対値がしきい値Ｇを下回った回数を数えるだけでなく、判定結果が位相差の絶対値がしきい値Ｇを上回った時に、数えている下回った回数を１回減らすようにする。
【００９０】
例えば、判定器１９０２の出力である判定結果が位相差の絶対値がしきい値Ｇを下回った場合が３回続き、その後、判定器１９０２の出力である判定結果が位相差の絶対値がしきい値Ｇを上回った場合、カウンタの出力する位相差がしきい値を下回った回数は２回となる。
【００９１】
このように、本実施の形態によれば、現時刻の位相情報と１シンボル前の位相情報との差の絶対値が予め定められたしきい値を下回る回数と、しきい値を上回る回数との差が一定回数を上回った場合のみ、有効シンボルの先頭タイミングをＦＦＴ開始トリガとすることによって、信号が送信されていない区間でシンボル同期が確立されることを防ぐことをより精度良く行うことができる。
【００９２】
（実施の形態１１）
本発明の実施の形態１１に係るＯＦＤＭ受信措置は、実施の形態９に係るＯＦＤＭ受信装置と同様の構成を有し、但し現時刻の位相情報と１シンボル前の位相情報の差がしきい値を下回る回数が一定の範囲内に収まっていることをシンボル同期獲得の条件に加えるものである。
【００９３】
以下、図１３を用いて、本実施の形態に係るＯＦＤＭ受信装置について説明する。図１３は、本発明の実施の形態１１に係るＯＦＤＭ受信装置の制御回路の概略構成を示す要部ブロック図である。なお、図中、実施の形態９と同様の構成には同じ符号を付し、詳しい説明は省略する。
【００９４】
減算器２１０１は、カウンタ１９０３の出力をしきい値と減算処理し、大小判定器２１０２が大小判定する。この判定結果は制御信号として論理積回路２１０３に出力される。論理積回路２１０３は、判定器１９０５の出力と判定器２１０２の出力との論理積を取り、制御信号を論理積回路１８０２に出力する。
【００９５】
ここで、減算器２１０１に入力されるしきい値は、減算器１９０４に入力されるしきい値よりも大きい値を持つものである。すなわち、カウンタ１９０３の出力が、減算器１９０４に入力されるしきい値よりも大きく、減算器２１０１に入力されるしきい値よりも小さいか否か、すなわち両しきい値の間の値を取るか否か、が判別される。
【００９６】
このように、本実施の形態によれば、現時刻の位相情報と１シンボル前の位相情報の差がしきい値を下回る回数が、一定の範囲内に収まっていることをシンボル同期獲得の条件に加えることにより、信号が送信されていない区間でシンボル同期が確立されることを防ぐことをより精度良く行うことができる。
【００９７】
（実施の形態１２）
本発明の実施の形態１２に係るＯＦＤＭ受信装置は、実施の形態１１に係るＯＦＤＭ受信装置と同様の構成を有し、但し回線品質に応じて位相差の絶対値と比較するしきい値を変えるものである。
【００９８】
以下、図１４及び図１５を用いて、本実施の形態に係るＯＦＤＭ受信装置について説明する。図１４は、本発明の実施の形態１２に係るＯＦＤＭ受信装置の概略構成を示す要部ブロック図であり、図１５は、本発明の実施の形態１２に係るＯＦＤＭ受信装置の制御回路の概略構成を示す要部ブロック図である。なお、図中、実施の形態２及び１１と同様の構成には同じ符号を付し、詳しい説明は省略する。
【００９９】
信号対雑音電力比が低い場合、熱雑音等の影響が大きくなり、振幅誤差、位相誤差が大きくなるため、復調信号の判定誤差を用いて回線品質を推定し、回線品質に応じてしきい値を変えるようにする。
【０１００】
図１４において、制御回路２２０１は、絶対値検出器１１２の出力と判定器９０２の出力と、を入力する。
【０１０１】
図１５において、スイッチ２３０１は、判定器９０２の出力である回線品質情報によって制御され、しきい値Ｉとしきい値Ｊとを選択的に出力する。ここでは、しきい値Ｉ＞しきい値Ｊとし、判定誤差が一定値を超える場合は大きい方の値であるしきい値Ｉを減算器１９０１へ出力し、一定値以下の場合は小さい方の値であるしきい値Ｊを出力する。
【０１０２】
このように、本実施の形態によれば、回線品質に応じてしきい値を可変とすることにより、信号が送信されていない区間でシンボル同期が確立されることを防ぐことをより精度良く行うことができる。
【０１０３】
（実施の形態１３）
本発明の実施の形態１３に係るＯＦＤＭ受信装置は、実施の形態１に係るＯＦＤＭ受信装置と同様の構成を有し、但し積算された位相回転の絶対値から周波数オフセットずれによる誤差を除去するものである。
【０１０４】
以下、図１６を用いて、本実施の形態に係るＯＦＤＭ受信装置について説明する。図１６は、本発明の実施の形態１３に係るＯＦＤＭ受信装置の制御回路の概略構成を示す要部ブロック図である。なお、図中、実施の形態１と同様の構成には同じ符号を付し、詳しい説明は省略する。
【０１０５】
周波数オフセットが大きく、例えば４５度程度、ずれている場合、位相回転の絶対値を積算したものには周波数オフセットずれによる誤差が含まれている。そこで、本実施の形態では、これを除去する。
【０１０６】
積算器２５０１は、減算器１１０の出力である位相回転量を積算する。これによって、周波数オフセットずれによる１シンボル当たりの位相回転量が求められる。よって、減算器２５０２において、積算器１１３の出力である積算された位相回転の絶対値から積算器２５０１の出力を減算することによって、周波数オフセットによる位相回転量を除去した位相回転量の絶対値を算出することができる。
【０１０７】
このように、本実施の形態によれば、有効シンボルの先頭を検出する際の位相回転量算出の精度を高めることができるため、シンボル同期の精度を向上させることができる作用を有する。
【発明の効果】
以上説明したように、本発明によれば、高速フーリエ変換処理の開始タイミングの検出精度を高めることができる。
【図面の簡単な説明】
【図１】本発明の実施の形態１に係るＯＦＤＭ受信装置の概略構成を示す要部ブロック図
【図２】上記実施の形態に係るＯＦＤＭ受信装置におけるガード区間の積算結果を示すグラフ
【図３】本発明の実施の形態２に係るＯＦＤＭ受信装置の概略構成を示す要部ブロック図
【図４】本発明の実施の形態３に係るＯＦＤＭ受信装置の概略構成を示す要部ブロック図
【図５】本発明の実施の形態４に係るＯＦＤＭ受信装置の概略構成を示す要部ブロック図
【図６】本発明の実施の形態５に係るＯＦＤＭ受信装置の概略構成を示す要部ブロック図
【図７】本発明の実施の形態６に係るＯＦＤＭ受信装置の概略構成を示す要部ブロック図
【図８】本発明の実施の形態７に係るＯＦＤＭ受信装置の概略構成を示す要部ブロック図
【図９】本発明の実施の形態８に係るＯＦＤＭ受信装置の概略構成を示す要部ブロック図
【図１０】本発明の実施の形態９に係るＯＦＤＭ受信装置の概略構成を示す要部ブロック図
【図１１】上記実施の形態に係るＯＦＤＭ受信装置の制御回路の概略構成を示す要部ブロック図
【図１２】本発明の実施の形態１０に係るＯＦＤＭ受信装置の制御回路の概略構成を示す要部ブロック図
【図１３】本発明の実施の形態１１に係るＯＦＤＭ受信装置の制御回路の概略構成を示す要部ブロック図
【図１４】本発明の実施の形態１２に係るＯＦＤＭ受信装置の概略構成を示す要部ブロック図
【図１５】上記実施の形態に係るＯＦＤＭ受信装置の制御回路の概略構成を示す要部ブロック図
【図１６】本発明の実施の形態１３に係るＯＦＤＭ受信装置の制御回路の概略構成を示す要部ブロック図
【図１７】従来のＯＦＤＭ受信装置の概略構成を示す要部ブロック図
【図１８】ＯＦＤＭ方式の無線通信におけるフレームフォーマットの模式図
【図１９】従来のＯＦＤＭ受信装置におけるガード区間の積算結果を示すグラフ
【符号の説明】
１０１  直交検波器
１０６  ＦＦＴ回路
１０７  遅延検波器
１０８  判定器
１０９  位相情報生成器
１１２  絶対値検出器
１８０１  制御回路
【図１】
0003576414.tif 000003
【図２】
0003576414.tif 000004
【図３】
0003576414.tif 000005
【図４】
0003576414.tif 000006
【図５】
0003576414.tif 000007
【図６】
0003576414.tif 000008
【図７】
0003576414.tif 000009
【図８】
0003576414.tif 000010
【図９】
0003576414.tif 000011
【図１０】
0003576414.tif 000012
【図１１】
0003576414.tif 000013
【図１２】
0003576414.tif 000014
【図１３】
0003576414.tif 000015
【図１４】
0003576414.tif 000016
【図１５】
0003576414.tif 000017
【図１６】
0003576414.tif 000018
【図１７】
0003576414.tif 000019
【図１８】
0003576414.tif 000020
【図１９】
0003576414.tif 000021